(57)【要約】【課題】  プロジェクトの管理をより容易にする【解決手段】  作業単位に対応する作業情報（工程名、納品日など）の入力を受けて、作業単位を示す作業単位コード（工程番号、納品番号など）に対応付けて記録する。しかも、作業単位コードを、作業単位の集合体であるプロジェクトに関連付けられたプロジェクト関連コード（作業指示番号、注文番号など）に対応付けて記録する。作業単位コードは、プロジェクト関連コードと関連づけられているので、作業情報がどのプロジェクトに所属するかがわかりやすくプロジェクトの管理に役立つ。【選択図】  図２２
2005276031.tif 000002
【特許請求の範囲】
【請求項１】
作業単位に対応する作業情報の入力を受ける作業情報入力手段と、
入力が受けられた前記作業情報を、作業単位を示す作業単位コードに対応付けて記録する作業情報記録手段と、
前記作業単位コードを、前記作業単位の集合体であるプロジェクトに関連付けられたプロジェクト関連コードに対応付けて記録するコード記録手段と、
を備えたプロジェクト情報管理装置。
【請求項２】
請求項１に記載のプロジェクト情報管理装置であって、
前記プロジェクト関連コードは、他の作業単位に対応する部外作業単位コードと前記他の作業単位において使用された前記プロジェクト関連コードである部外プロジェクト関連コードとの組み合わせを示すコードである、
プロジェクト情報管理装置。
【請求項３】
請求項２に記載のプロジェクト情報管理装置であって、
前記部外作業単位コードおよび前記部外プロジェクト関連コードが使用される作業単位は、前記プロジェクト関連コードが使用される作業単位の前段階の作業に相当する、
プロジェクト情報管理装置。
【請求項４】
請求項３に記載のプロジェクト情報管理装置であって、
前記プロジェクト関連コードが使用される作業単位は、前記プロジェクトが遂行される組織の外部への外注に関連するものであり、
前記部外作業単位コードおよび前記部外プロジェクト関連コードが使用される作業単位は、前記組織内の製作作業に関連するものである、
プロジェクト情報管理装置。
【請求項５】
請求項３に記載のプロジェクト情報管理装置であって、
前記プロジェクト関連コードが使用される作業単位は、前記プロジェクトが遂行される組織内の製作作業に関連するものであり、
前記部外作業単位コードおよび前記部外プロジェクト関連コードが使用される作業単位は、前記プロジェクトの受注に関連するものである、
プロジェクト情報管理装置。
【請求項６】
請求項３に記載のプロジェクト情報管理装置であって、
前記プロジェクト関連コードが使用される作業単位は、前記プロジェクトが遂行される組織内の見積もり、出荷あるいは売上計上に関連するものであり、
前記部外作業単位コードおよび前記部外プロジェクト関連コードが使用される作業単位は、前記プロジェクトの受注に関連するものである、
プロジェクト情報管理装置。
【請求項７】
請求項２に記載のプロジェクト情報管理装置であって、
前記部外プロジェクト関連コードは、プロジェクトを示すプロジェクトコードである、
プロジェクト情報管理装置。
【請求項８】
請求項２に記載のプロジェクト情報管理装置であって、
前記部外作業単位コードは、プロジェクトの構成部分であって売上を計上するプロジェクト明細を示すものである、
プロジェクト情報管理装置。
【請求項９】
作業情報入力手段が、作業単位に対応する作業情報の入力を受ける作業情報入力工程と、
作業情報記録手段が、入力が受けられた前記作業情報を、作業単位を示す作業単位コードに対応付けて記録する作業情報記録工程と、
コード記録手段が、前記作業単位コードを、前記作業単位の集合体であるプロジェクトに関連付けられたプロジェクト関連コードに対応付けて記録するコード記録工程と、
を備えたプロジェクト情報管理方法。
【請求項１０】
作業単位に対応する作業情報の入力を受ける作業情報入力処理と、
入力が受けられた前記作業情報を、作業単位を示す作業単位コードに対応付けて記録する作業情報記録処理と、
前記作業単位コードを、前記作業単位の集合体であるプロジェクトに関連付けられたプロジェクト関連コードに対応付けて記録するコード記録処理と、
をコンピュータに実行させるためのプログラム。
【請求項１１】
作業単位に対応する作業情報の入力を受ける作業情報入力処理と、
入力が受けられた前記作業情報を、作業単位を示す作業単位コードに対応付けて記録する作業情報記録処理と、
前記作業単位コードを、前記作業単位の集合体であるプロジェクトに関連付けられたプロジェクト関連コードに対応付けて記録するコード記録処理と、
をコンピュータに実行させるためのプログラムを記録したコンピュータによって読み取り可能な記録媒体。
【発明の詳細な説明】
【技術分野】
【０００１】
本発明は経営管理の支援に関する。
【背景技術】
【０００２】
従来より、企業は、プロジェクトを受注すると、受注したプロジェクトを従業員に作業として割り当てるかあるいは従業員に外注させてプロジェクトをこなす。プロジェクトを受注した企業は、プロジェクトの進捗や発生原価を把握して経営管理を行なう。そこで、従業員に作業や外注の進捗や発生原価の報告を求める。このような報告を日報として求める場合もある（例えば、特許文献１を参照）。
【０００３】
【特許文献１】特開２００３−３３７８８２号公報（要約）
【発明の開示】
【発明が解決しようとする課題】
【０００４】
しかしながら、従業員の報告は、従業員が行なっている作業あるいは外注単位で行なわれるため、どのプロジェクトに関する報告なのかがわかりにくい。そこで、従業員の管理者が、どのプロジェクトに関する報告なのかを判断して、受注したプロジェクトごとに進捗や発生原価を集計することになる。しかし、このような判断および集計にかかる労力は多大なものがあり、プロジェクトの進捗や発生原価を把握することが遅れがちである。
【０００５】
そこで、本発明は、プロジェクトの管理をより容易にすることを課題とする。
【課題を解決するための手段】
【０００６】
本発明は、作業単位に対応する作業情報の入力を受ける作業情報入力手段と、入力が受けられた作業情報を、作業単位を示す作業単位コードに対応付けて記録する作業情報記録手段と、作業単位コードを、作業単位の集合体であるプロジェクトに関連付けられたプロジェクト関連コードに対応付けて記録するコード記録手段とを備えるように構成される。
【０００７】
上記のように構成された発明によれば、作業情報入力手段は、作業単位に対応する作業情報の入力を受ける。作業情報記録手段は、入力が受けられた作業情報を、作業単位を示す作業単位コードに対応付けて記録する。コード記録手段は、作業単位コードを、作業単位の集合体であるプロジェクトに関連付けられたプロジェクト関連コードに対応付けて記録する。
【０００８】
また、本発明は、プロジェクト関連コードが、他の作業単位に対応する部外作業単位コードと他の作業単位において使用されたプロジェクト関連コードである部外プロジェクト関連コードとの組み合わせを示すコードであるようにしてもよい。
【０００９】
また、本発明は、部外作業単位コードおよび部外プロジェクト関連コードが使用される作業単位は、プロジェクト関連コードが使用される作業単位の前段階の作業に相当するようにしてもよい。
【００１０】
また、本発明は、プロジェクト関連コードが使用される作業単位が、プロジェクトが遂行される組織の外部への外注に関連するものであり、部外作業単位コードおよび部外プロジェクト関連コードが使用される作業単位は、組織内の製作作業に関連するものであるようにしてもよい。
【００１１】
また、本発明は、プロジェクト関連コードが使用される作業単位が、プロジェクトが遂行される組織内の製作作業に関連するものであり、部外作業単位コードおよび部外プロジェクト関連コードが使用される作業単位は、プロジェクトの受注に関連するものであるようにしてもよい。
【００１２】
また、本発明は、プロジェクト関連コードが使用される作業単位が、プロジェクトが遂行される組織内の見積もり、出荷あるいは売上計上に関連するものであり、部外作業単位コードおよび部外プロジェクト関連コードが使用される作業単位は、プロジェクトの受注に関連するものであるようにしてもよい。
【００１３】
また、本発明は、部外プロジェクト関連コードが、プロジェクトを示すプロジェクトコードであるようにしてもよい。
【００１４】
また、本発明は、部外作業単位コードが、プロジェクトの構成部分であって売上を計上するプロジェクト明細を示すものであるようにしてもよい。
【００１５】
本発明は、作業情報入力手段が、作業単位に対応する作業情報の入力を受ける作業情報入力工程と、作業情報記録手段が、入力が受けられた作業情報を、作業単位を示す作業単位コードに対応付けて記録する作業情報記録工程と、コード記録手段が、作業単位コードを、作業単位の集合体であるプロジェクトに関連付けられたプロジェクト関連コードに対応付けて記録するコード記録工程とを備えるように構成される。
【００１６】
本発明は、作業単位に対応する作業情報の入力を受ける作業情報入力処理と、入力が受けられた作業情報を、作業単位を示す作業単位コードに対応付けて記録する作業情報記録処理と、作業単位コードを、作業単位の集合体であるプロジェクトに関連付けられたプロジェクト関連コードに対応付けて記録するコード記録処理とをコンピュータに実行させるためのプログラムである。
【００１７】
本発明は、作業単位に対応する作業情報の入力を受ける作業情報入力処理と、入力が受けられた作業情報を、作業単位を示す作業単位コードに対応付けて記録する作業情報記録処理と、作業単位コードを、作業単位の集合体であるプロジェクトに関連付けられたプロジェクト関連コードに対応付けて記録するコード記録処理とをコンピュータに実行させるためのプログラムを記録したコンピュータによって読み取り可能な記録媒体である。
【発明を実施するための最良の形態】
【００１８】
以下、本発明の実施形態を図面を参照しながら説明する。
【００１９】
図１は、本発明の実施形態にかかるプロジェクト情報管理装置１を利用したシステムの構成を示す機能ブロック図である。このシステムは、プロジェクト情報管理装置１およびプロジェクト情報管理装置１に接続された端末２ａ、２ｂ、２ｃ、２ｄ、２ｅ、２ｐを備える。
【００２０】
プロジェクト情報管理装置１は、受注管理システム１０、作業管理システム２０、購買管理システム３０、見積管理システム４０、出荷売上管理システム５０、経営管理システム６０を備える。
【００２１】
プロジェクト情報管理装置１はプロジェクトを管理するためのものである。プロジェクトは、売上を計上できる単位（「プロジェクト明細」という）を集合させたものである。例えば、プロジェクトを、「ソフトウェア仕様書一式」を作成することとする。このとき、売上を計上できる単位は、プロジェクトを細分化したものであり、「プログラムの仕様書」、「プログラムのユーザ解説書」などといったものとなる。
【００２２】
また、プロジェクトは、（１）プロジェクトの注文を受ける（「受注」という）、（２）プロジェクトを遂行すべく作業（いわば、製作作業）を行なう（例えば、仕様書等の翻訳など）、（３）作業の外注（広くとらえれば、外部からの買い入れにあたるので「購買」という）、といった段階を経て行なわれる。また、受注後、（４）見積もり、を行なうこともある。あるいは、受注後、（５）出荷および売上の計上、を行なう。
【００２３】
端末２ａは、受注管理システム１０から受注に関する情報を受けて、受注管理者に見せる。また、端末２ａは、受注管理者からさらなる受注に関する情報の入力を受けて、受注管理システム１０に与える。
【００２４】
端末２ｂは、作業管理システム２０から製作作業に関する情報を受けて、作業管理者に見せる。また、端末２ｂは、作業管理者からさらなる製作作業に関する情報の入力を受けて、作業管理システム２０に与える。
【００２５】
端末２ｃは、購買管理システム３０から購買に関する情報を受けて、購買管理者に見せる。また、端末２ｃは、購買管理者からさらなる購買に関する情報の入力を受けて、購買管理システム３０に与える。
【００２６】
端末２ｄは、見積管理システム４０から見積に関する情報を受けて、見積管理者に見せる。また、端末２ｄは、見積管理者からさらなる見積に関する情報の入力を受けて、見積管理システム４０に与える。
【００２７】
端末２ｅは、出荷売上管理システム５０から出荷および売上計上に関する情報を受けて、出荷売上管理者に見せる。また、端末２ｅは、出荷売上管理者からさらなる出荷および売上計上に関する情報の入力を受けて、出荷売上管理システム５０に与える。
【００２８】
端末２ｐは、経営管理システム６０から情報を受けて、経営管理者に見せる。なお、経営管理システム６０から受ける情報は、例えば、受注管理システム１０、作業管理システム２０、購買管理システム３０、見積管理システム４０および出荷売上管理システム５０から得られた情報をプロジェクトごとに整理したものである。
【００２９】
図２は、受注管理システム１０の構成を示す機能ブロック図である。受注管理システム１０は、プロジェクト記録部１０２、コード記録部１０４、情報表示指示部１０６、作業情報入力部１１２、作業情報記録部１１４を有する。
【００３０】
プロジェクト記録部１０２は、図３に示すように、プロジェクトを示すプロジェクトコードおよびプロジェクトに関する情報を記録する。
【００３１】
コード記録部１０４は、図４に示すように、プロジェクトコードとプロジェクト明細とを対応づけて記録する。なお、コード記録部１０４の記録内容は、作業管理システム２０および見積管理システム４０に与えられる。
【００３２】
情報表示指示部１０６は、プロジェクト記録部１０２およびコード記録部１０４の記録内容を端末２ａに表示させることを指示する。
【００３３】
端末２ａに表示されたプロジェクトコード、プロジェクトに関する情報（図３参照）およびプロジェクト明細（図４参照）を受注管理者は見る。そして、受注管理者により、プロジェクト明細ごとに品目名などの作業情報が入力される。プロジェクト明細は、受注管理者にとって扱いやすい作業単位コードである。これが、プロジェクトというような大きな単位であると、かえって受注管理者にとって扱いにくい。
【００３４】
作業情報入力部１１２は、端末２ａからの作業情報の入力を受ける。しかも、コード記録部１０４からプロジェクト明細も受け、プロジェクト明細と作業情報との対応をとる。
【００３５】
作業情報記録部１１４は、作業情報入力部１１２から、プロジェクト明細に対応付けられた作業情報を受けて、図５に示すように記録する。
【００３６】
図６は、作業管理システム２０の構成を示す機能ブロック図である。作業管理システム２０は、プロジェクト関連コード記録部２０２、コード記録部２０４、情報表示指示部２０６、作業情報入力部２１２、作業情報記録部２１４を有する。
【００３７】
プロジェクト関連コード記録部２０２は、図７に示すように、プロジェクトに関連付けられた作業指示番号（プロジェクト関連コード）を、プロジェクトコードおよびプロジェクト明細に対応付けて記録する。プロジェクト明細は、作業（いわば、製作作業）の前段階の作業である受注における作業単位コード（部外作業単位コード）である。プロジェクトコードは、受注において、プロジェクトに関連付けられたコードとして使用されたコード（部外プロジェクト関連コード）である。プロジェクトコードおよびプロジェクト明細は、受注管理システム１０から受ける。なお、プロジェクト関連コード記録部２０２は、作業指示番号に関する情報を記録する。
【００３８】
コード記録部２０４は、図８に示すように、作業指示番号と工程番号とを対応づけて記録する。なお、コード記録部２０４の記録内容は、購買管理システム３０に与えられる。
【００３９】
情報表示指示部２０６は、プロジェクト記録部２０２およびコード記録部２０４の記録内容を端末２ｂに表示させることを指示する。
【００４０】
端末２ｂに表示された作業指示番号、作業指示番号に関する情報（図７参照）および工程番号（図８参照）を作業管理者は見る。そして、作業管理者により、工程番号ごとに工程名などの作業情報が入力される。工程番号は、作業管理者にとって扱いやすい作業単位コードである。これが、プロジェクトというような大きな単位であると、かえって作業管理者にとって扱いにくい。
【００４１】
作業情報入力部２１２は、端末２ｂからの作業情報の入力を受ける。しかも、コード記録部２０４から工程番号も受け、工程番号と作業情報との対応をとる。
【００４２】
作業情報記録部２１４は、作業情報入力部２１２から、工程番号に対応付けられた作業情報を受けて、図９に示すように記録する。
【００４３】
図１０は、購買管理システム３０の構成を示す機能ブロック図である。購買管理システム３０は、プロジェクト関連コード記録部３０２、コード記録部３０４、情報表示指示部３０６、作業情報入力部３１２、作業情報記録部３１４を有する。
【００４４】
プロジェクト関連コード記録部３０２は、図１１に示すように、プロジェクトに関連付けられた注文番号（プロジェクト関連コード）を、作業指示番号および工程番号に対応付けて記録する。工程番号は、購買の前段階の作業である作業（いわば、製作作業）における作業単位コード（部外作業単位コード）である。作業指示番号は、作業（いわば、製作作業）において、プロジェクトに関連付けられたコードとして使用されたコード（部外プロジェクト関連コード）である。作業指示番号および工程番号は、作業管理システム２０から受ける。なお、プロジェクト関連コード記録部３０２は、注文番号に関する情報を記録する。
【００４５】
コード記録部３０４は、図１２に示すように、注文番号と納品番号（あるいは検収番号）とを対応づけて記録する。
【００４６】
情報表示指示部３０６は、プロジェクト記録部３０２およびコード記録部３０４の記録内容を端末２ｃに表示させることを指示する。
【００４７】
端末２ｃに表示された注文番号、注文番号に関する情報（図１１参照）および納品番号（あるいは検収番号）（図１２参照）を購買管理者は見る。そして、購買管理者により、納品番号（あるいは検収番号）ごとに納品日（あるいは検収日）などの作業情報が入力される。納品番号（あるいは検収番号）は、購買管理者にとって扱いやすい作業単位コードである。これが、プロジェクトというような大きな単位であると、かえって作業管理者にとって扱いにくい。
【００４８】
作業情報入力部３１２は、端末２ｃからの作業情報の入力を受ける。しかも、コード記録部３０４から納品番号（あるいは検収番号）も受け、納品番号（あるいは検収番号）と作業情報との対応をとる。
【００４９】
作業情報記録部３１４は、作業情報入力部３１２から、納品番号（あるいは検収番号）に対応付けられた作業情報を受けて、図１３に示すように記録する。
【００５０】
図１４は、見積管理システム４０の構成を示す機能ブロック図である。見積管理システム４０は、プロジェクト関連コード記録部４０２、コード記録部４０４、情報表示指示部４０６、作業情報入力部４１２、作業情報記録部４１４を有する。
【００５１】
プロジェクト関連コード記録部４０２は、図１５に示すように、プロジェクトコードとプロジェクト明細とを記録する。プロジェクト明細は、見積もりの前段階の作業である受注における作業単位コード（部外作業単位コード）である。プロジェクトコードは、受注において、プロジェクトに関連付けられたコードとして使用されたコード（部外プロジェクト関連コード）である。プロジェクトコードおよびプロジェクト明細は、受注管理システム１０から受ける。
【００５２】
コード記録部４０４は、図１６に示すように、プロジェクトコードおよびプロジェクト明細を一体化したもの（プロジェクト関連コード）と見積番号とを対応づけて記録する。
【００５３】
情報表示指示部４０６は、プロジェクト記録部４０２およびコード記録部４０４の記録内容を端末２ｄに表示させることを指示する。
【００５４】
端末２ｄに表示されたプロジェクトコードおよびプロジェクト明細を一体化したもの（図１５参照）および見積番号（図１６参照）を見積管理者は見る。そして、見積管理者により、見積番号ごとに見積金額などの作業情報が入力される。見積番号は、見積管理者にとって扱いやすい作業単位を示す作業単位コードである。これが、プロジェクトというような大きな単位であると、かえって見積管理者にとって扱いにくい。
【００５５】
作業情報入力部４１２は、端末２ｄからの作業情報の入力を受ける。しかも、コード記録部４０４から見積番号も受け、見積番号と作業情報との対応をとる。
【００５６】
作業情報記録部４１４は、作業情報入力部４１２から、見積番号に対応付けられた作業情報を受けて、図１７に示すように記録する。なお、さらに見積もりを細分化して記録してもよい。
【００５７】
図１８は、出荷売上管理システム５０の構成を示す機能ブロック図である。出荷売上管理システム５０は、プロジェクト関連コード記録部５０２、コード記録部５０４、情報表示指示部５０６、作業情報入力部５１２、作業情報記録部５１４を有する。
【００５８】
プロジェクト関連コード記録部５０２は、図１９に示すように、プロジェクトコードとプロジェクト明細とを記録する。プロジェクト明細は、出荷および売上計上の前段階の作業である受注における作業単位を示す作業単位コード（部外作業単位コード）である。プロジェクトコードは、受注において、プロジェクトに関連付けられたコード（部外プロジェクト関連コード）として使用されたコードである。プロジェクトコードおよびプロジェクト明細は、受注管理システム１０から受ける。
【００５９】
コード記録部５０４は、図２０に示すように、プロジェクトコードおよびプロジェクト明細を一体化したもの（プロジェクト関連コード）と出荷番号（あるいは売上番号）とを対応づけて記録する。
【００６０】
情報表示指示部５０６は、プロジェクト記録部５０２およびコード記録部５０４の記録内容を端末２ｅに表示させることを指示する。
【００６１】
端末２ｅに表示されたプロジェクトコードおよびプロジェクト明細を一体化したもの（図１９参照）および出荷番号（あるいは売上番号）（図２０参照）を出荷売上管理者は見る。そして、出荷売上管理者により、出荷番号（あるいは売上番号）ごとに出荷日（あるいは売上日）などの作業情報が入力される。出荷番号（あるいは売上番号）は、出荷売上管理者にとって扱いやすい作業単位を示す作業単位コードである。これが、プロジェクトというような大きな単位であると、かえって出荷売上管理者にとって扱いにくい。
【００６２】
作業情報入力部５１２は、端末２ｅからの作業情報の入力を受ける。しかも、コード記録部５０４から出荷番号（あるいは売上番号）も受け、出荷番号（あるいは売上番号）と作業情報との対応をとる。
【００６３】
作業情報記録部５１４は、作業情報入力部５１２から、出荷番号（あるいは売上番号）に対応付けられた作業情報を受けて、図２１に示すように記録する。
【００６４】
経営管理システム６０は、受注管理システム１０、作業管理システム２０、購買管理システム３０、見積管理システム４０および出荷売上管理システム５０から得られた情報をプロジェクトごとに整理する。
【００６５】
図２２に、経営管理システム６０により、受注管理システム１０、作業管理システム２０および購買管理システム３０から得られ、整理された情報を示す。図２３に、経営管理システム６０により、受注管理システム１０および見積管理システム４０から得られ、整理された情報を示す。図２４に、経営管理システム６０により、受注管理システム１０および出荷売上管理システム５０から得られ、整理された情報を示す。なお、図２２、図２３および図２４においては、図示の便宜上、情報を一部省略して図示している。
【００６６】
図２２を参照して、図２２（ａ）は受注管理システム１０のプロジェクト記録部１０２から得られた情報、図２２（ｂ）は受注管理システム１０のコード記録部１０４および作業情報記録部１１４から得られた情報を統合したものを示す。図２２（ｃ）は作業管理システム２０のプロジェクト関連コード記録部２０２から得られた情報、図２２（ｄ）は作業管理システム２０のコード記録部２０４および作業情報記録部２１４から得られた情報を統合したものを示す。図２２（ｅ）は購買管理システム３０のプロジェクト関連コード記録部３０２から得られた情報、図２２（ｆ）は購買管理システム３０のコード記録部３０４および作業情報記録部３１４から得られた情報を統合したものを示す。
【００６７】
図２２（ｆ）に示す納品日は、図２２（ｅ）および図２２（ｄ）を参照すると、どのような工程名に関するものかがわかる。図２２（ｄ）に示す工程名は、図２２（ｃ）および図２２（ｂ）を参照すると、どのような品目名に関するものかがわかる。図２２（ｂ）に示す品目名は、図２２（ａ）を参照すると、どのようなプロジェクトに関するものかがわかる。これにより、各作業（受注、作業、購買）間の関係および各作業の所属するプロジェクトがわかり、プロジェクトの管理に役立つ。
【００６８】
図２３を参照して、図２３（ａ）は受注管理システム１０のプロジェクト記録部１０２から得られた情報、図２３（ｂ）は受注管理システム１０のコード記録部１０４および作業情報記録部１１４から得られた情報を統合したものを示す。図２３（ｃ）は見積管理システム４０のコード記録部４０４および作業情報記録部４１４から得られた情報を統合したものを示す。
【００６９】
図２３（ｃ）に示す見積金額は、図２３（ｃ）および図２３（ｂ）を参照すると、どのような品目名に関するものかがわかる。図２３（ｂ）に示す品目名は、図２３（ａ）を参照すると、どのようなプロジェクトに関するものかがわかる。これにより、各作業（受注、見積）間の関係および各作業の所属するプロジェクトがわかり、プロジェクトの管理に役立つ。
【００７０】
図２４を参照して、図２４（ａ）は受注管理システム１０のプロジェクト記録部１０２から得られた情報、図２４（ｂ）は受注管理システム１０のコード記録部１０４および作業情報記録部１１４から得られた情報を統合したものを示す。図２４（ｃ）は出荷売上管理システム５０のコード記録部５０４および作業情報記録部５１４から得られた情報を統合したものを示す。
【００７１】
図２４（ｃ）に示す出荷日は、図２４（ｃ）および図２４（ｂ）を参照すると、どのような品目名に関するものかがわかる。図２４（ｂ）に示す品目名は、図２４（ａ）を参照すると、どのようなプロジェクトに関するものかがわかる。これにより、各作業（受注、出荷）間の関係および各作業の所属するプロジェクトがわかり、プロジェクトの管理に役立つ。
【００７２】
次に、本発明の実施形態の動作を説明する。
【００７３】
まず、プロジェクトを受注すると、受注管理者により端末２ａから、受注に関する情報が受注管理システム１０に与えられる。
【００７４】
そして、作業管理者により端末２ｂから、製作作業に関する情報が作業管理システム２０に与えられる。しかも、受注管理システム１０から、プロジェクトコードとプロジェクト明細とが作業管理システム２０に与えられる。
【００７５】
さらに、購買管理者により端末２ｃから、購買に関する情報が購買管理システム３０に与えられる。しかも、作業管理システム２０から、作業指示番号と工程番号とが購買管理システム３０に与えられる。
【００７６】
なお、見積管理者により端末２ｄから、見積に関する情報が見積管理システム４０に与えられる。しかも、受注管理システム１０から、プロジェクトコードとプロジェクト明細とが見積管理システム４０に与えられる。
【００７７】
また、出荷売上管理者により端末２ｅから、出荷および売上計上に関する情報が出荷売上管理システム５０に与えられる。しかも、受注管理システム１０から、プロジェクトコードとプロジェクト明細とが出荷売上管理システム５０に与えられる。
【００７８】
経営管理システム６０は、受注管理システム１０、作業管理システム２０、購買管理システム３０、見積管理システム４０および出荷売上管理システム５０から情報を得る。そして、プロジェクトごとに整理する。プロジェクトごとに得られた情報を整理したものは図２２〜図２４に示すようなものである。これにより、各作業間の関係および各作業の所属するプロジェクトがわかり、プロジェクトの管理に役立つ。このような情報は、端末２ｐに表示され、経営管理者が見ることができる。
【００７９】
本発明の実施形態によれば、受注管理者等にとって扱いやすい作業単位を示す作業単位コード（プロジェクト明細など）ごとに作業情報を入力できるので、作業情報を入力しやすい。しかも、作業単位コード（プロジェクト明細など）は、プロジェクト関連コード（プロジェクトコードなど）と関連づけられているので、作業情報がどのプロジェクトに所属するかがわかりやすくプロジェクトの管理に役立つ。
【００８０】
しかも、プロジェクト関連コードは、前段階の作業における作業単位コードおよびプロジェクト関連コードに対応づけられているため、作業情報が前段階の作業とどのような関係を有するかがわかりやすく、プロジェクトの管理に役立つ。
【００８１】
また、上記の実施形態は、以下のようにして実現できる。ＣＰＵ、ハードディスク、メディア（フロッピー（登録商標）ディスク、ＣＤ−ＲＯＭなど）読み取り装置を備えたコンピュータのメディア読み取り装置に、上記の各部分（例えば、受注管理システム１０、作業管理システム２０、購買管理システム３０、見積管理システム４０、出荷売上管理システム５０および経営管理システム６０）を実現するプログラムを記録したメディアを読み取らせて、ハードディスクにインストールする。このような方法でも、上記の機能を実現できる。
【図面の簡単な説明】
【００８２】
【図１】本発明の実施形態にかかるプロジェクト情報管理装置１を利用したシステムの構成を示す機能ブロック図である。
【００８３】
【図２】受注管理システム１０の構成を示す機能ブロック図である。
【００８４】
【図３】プロジェクト記録部１０２の記録内容を示す図である。
【００８５】
【図４】コード記録部１０４の記録内容を示す図である。
【００８６】
【図５】作業情報記録部１１４の記録内容を示す図である。
【００８７】
【図６】作業管理システム２０の構成を示す機能ブロック図である。
【００８８】
【図７】プロジェクト関連コード記録部２０２の記録内容を示す図である。
【００８９】
【図８】コード記録部２０４の記録内容を示す図である。
【００９０】
【図９】作業情報記録部２１４の記録内容を示す図である。
【００９１】
【図１０】購買管理システム３０の構成を示す機能ブロック図である。
【００９２】
【図１１】プロジェクト関連コード記録部３０２の記録内容を示す図である。
【００９３】
【図１２】コード記録部３０４の記録内容を示す図である。
【００９４】
【図１３】作業情報記録部３１４の記録内容を示す図である。
【００９５】
【図１４】見積管理システム４０の構成を示す機能ブロック図である。
【００９６】
【図１５】プロジェクト関連コード記録部４０２の記録内容を示す図である。
【００９７】
【図１６】コード記録部４０４の記録内容を示す図である。
【００９８】
【図１７】作業情報記録部４１４の記録内容を示す図である。
【００９９】
【図１８】出荷売上管理システム５０の構成を示す機能ブロック図である。
【０１００】
【図１９】プロジェクト関連コード記録部５０２の記録内容を示す図である。
【０１０１】
【図２０】コード記録部５０４の記録内容を示す図である。
【０１０２】
【図２１】作業情報記録部５１４の記録内容を示す図である。
【０１０３】
【図２２】経営管理システム６０により、受注管理システム１０、作業管理システム２０および購買管理システム３０から得られ、整理された情報を示す図である。
【０１０４】
【図２３】経営管理システム６０により、受注管理システム１０および見積管理システム４０から得られ、整理された情報を示す図である。
【０１０５】
【図２４】経営管理システム６０により、受注管理システム１０および出荷売上管理システム５０から得られ、整理された情報を示す図である。
【符号の説明】
【０１０６】
１  プロジェクト情報管理装置
１０  受注管理システム
１０４コード記録部
１１２  作業情報入力部
１１４作業情報記録部
２０  作業管理システム
３０  購買管理システム
４０  見積管理システム
５０  出荷売上管理システム
【図１】
2005276031.tif 000003
【図２】
2005276031.tif 000004
【図３】
2005276031.tif 000005
【図４】
2005276031.tif 000006
【図５】
2005276031.tif 000007
【図６】
2005276031.tif 000008
【図７】
2005276031.tif 000009
【図８】
2005276031.tif 000010
【図９】
2005276031.tif 000011
【図１０】
2005276031.tif 000012
【図１１】
2005276031.tif 000013
【図１２】
2005276031.tif 000014
【図１３】
2005276031.tif 000015
【図１４】
2005276031.tif 000016
【図１５】
2005276031.tif 000017
【図１６】
2005276031.tif 000018
【図１７】
2005276031.tif 000019
【図１８】
2005276031.tif 000020
【図１９】
2005276031.tif 000021
【図２０】
2005276031.tif 000022
【図２１】
2005276031.tif 000023
【図２２】
2005276031.tif 000024
【図２３】
2005276031.tif 000025
【図２４】
2005276031.tif 000026